(57)【要約】【課題】女性ゴルファーに対して付加価値を高める香るゴルフクラブヘッドを提供する。【解決手段】本体１２０は、ヘッドの上部１２２、ヘッドの底部１２３、ヘッドの先端部であるトウ１２４、ヘッドの後部であるヒール１２６およびシャフト１２７に結合するネック１２８から構成される。本体１２０の裏には香る嵌め込み部１３２が嵌め込む凹部１３０に設けられ、上部１２２の裏には香る嵌め込み部１４２が嵌め込む凹部１４０に設けられる。香る嵌め込み部１３２、１４２には芳香剤が入れてあり、これによって、所定の期間、香りを発散させて、ゴルフクラブの付加価値を高める。香る嵌め込み部１４２は、プラークとして機能し、かつ香る嵌め込み部１３２は錘として機能する。【選択図】図１
0003126471.tif 000002
【実用新案登録請求の範囲】
【請求項１】
ボールを打つための打つ面、および前記打つ面に対する裏面を有するフェイスと、
前記フェイスが設けられ、凹部または穴を有する本体と、
前記本体の凹部または穴に設けられる香る嵌め込み部とを備え、
前記香る嵌め込み部には芳香剤が含まれており、前記香る嵌め込み部からは所定の期間、香りが発散される、香るゴルフクラブヘッド。
【請求項２】
前記香る嵌め込み部は、錘として機能する請求項１に記載の香るゴルフクラブヘッド。
【請求項３】
前記香る嵌め込み部は、プラスチックまたはゴムのいずれか一つと、金属粉末とからなる請求項２に記載の香るゴルフクラブヘッド。
【請求項４】
前記香る嵌め込み部は、プラークとして機能とする請求項１に記載の香るゴルフクラブヘッド。
【請求項５】
前記香る嵌め込み部は、クッションとして機能とする請求項１に記載の香るゴルフクラブヘッド。
【請求項６】
前記香る嵌め込み部は、前記フェイスの裏面に接するように前記フェイスと前記本体の間に設けられる請求項４に記載の香るゴルフクラブヘッド。
【請求項７】
前記香る嵌め込み部は、前記フェイスの側面を囲んでいる請求項４に記載の香るゴルフクラブヘッド。
【請求項８】
前記香る嵌め込み部は、弾性素材からなる請求項４に記載の香るゴルフクラブヘッド。
【請求項９】
前記香る嵌め込み部は、プラスチックまたはゴムからなる請求項１に記載の香るゴルフクラブヘッド。
【考案の詳細な説明】
【技術分野】
【０００１】
本考案は、ゴルフクラブヘッドに関し、特に香りがするゴルフクラブのウッドヘッドやアイアンヘッドに関するものである。
【背景技術】
【０００２】
価値を高めるため、ゴルフクラブヘッドは多様なデザインが施され、しかし、市販のゴルフクラブはほとんど男性ゴルファーを対象としてデザインが施されている。
そのため、特に女性ゴルファーに対してゴルフクラブヘッドはまだ発展する余地がある。
【考案の開示】
【考案が解決しようとする課題】
【０００３】
本考案は、女性ゴルファーに対して付加価値を高める香るゴルフクラブヘッドを提供することを課題とする。
【課題を解決するための手段】
【０００４】
前記課題を解決するため、本考案に係る香るゴルフクラブヘッドは、ボールを打つための打つ面と前記打つ面に対する裏面を有するフェイスと、ヘッドの上部（１２２）、ヘッドの底部（１２３）、ヘッドの先端部であるトウ（１２４）、ヘッドの後部であるヒール（１２６）およびシャフト（１２７）に結合するネック（１２８）から構成され、凹部または穴を有する本体と、前記本体の凹部または穴に設けられる香る嵌め込み部と、を備えている。前記香る嵌め込み部には芳香剤が含まれており、これにより、所定の期間香りを発散させることができる。これによってゴルフクラブヘッドの付加価値を高める。
【０００５】
前記香る嵌め込み部は錘、プラークまたはクッションとして機能することができる。また、本考案に係る香るゴルフクラブヘッドの香る嵌め込み部は、周知のキャストやプレス工程によって製造され、嵌め込み、熔接または接着によってゴルフクラブヘッドの本体に接合される。これによってゴルフクラブヘッドの付加価値を高める。
【０００６】
前記香る嵌め込み部が錘の機能とする場合、原料はプラスチックまたはゴムの中から選択されるいずれか一つ及び金属粉末（例えばタングステンの粉）を用いて、その中に無毒芳香剤（例えば芳香油）を添加する。また、前記香る嵌め込み部はがクッションの機能とする場合、原料は少なくとも弾性素材やゴムを用いて、その中に無毒芳香剤（例えば芳香油）を添加するのが好ましい。
【０００７】
本考案に係るゴルフクラブヘッドは、本体に香る嵌め込み部を設けることによって、香りを発散させて、特に女性ゴルファーに対して付加価値を高める。
【考案を実施するための最良の形態】
【０００８】
本考案は多様の形態で実施することができるが、よりわかり易くために、図面および以下の説明に挙げられた例は、本考案の好適な実施形態であり、決して本考案を限定するものではない。
【０００９】
以下、本考案に係る実施形態を詳しく説明する。図１と図２は、本考案の好ましい実施形態に係る香るゴルフクラブヘッド１００を示す図である。香るゴルフクラブヘッド１００は、アイアンヘッドであり、フェイス１１０と、チタン、チタン合金、アルミ合金またはマグネシウム合金などの金属から製造される本体１２０と、から構成される。フェイス１１０と本体１２０とはキャストやモールド工程によって一体に構成されている。また、本実施形態に係る香るゴルフクラブヘッドは、まず、脱蝋工程によってフェイス装着部を有する本体を製造し、次にキャストやプレス工程によってフェイスを製造して、前記フェイス装着部にフェイスを熔接して本体に装着するによって製造することができる。熔接が施された場合はさらに研磨や時効硬化の工程を施す。
【００１０】
本体１２０は、ヘッドの上部１２２、ヘッドの底部１２３、ヘッドの先端部であるトウ１２４、ヘッドの後部であるヒール１２６およびシャフト１２７に結合するネック１２８から構成される。
【００１１】
本体１２０の裏には香る嵌め込み部１３２が嵌め込む凹部１３０が設けられ、上部１２２の裏には香る嵌め込み部１４２が嵌め込む凹部１４０に設けられる。香る嵌め込み部１３２、１４２には芳香剤が入れてあり、これによって、所定の期間、香りを発散させて、ゴルフクラブの付加価値を高める。
【００１２】
この実施例において、香る嵌め込み部１４２は、プラークとして機能し、香る嵌め込み部１３２は錘として機能する。香る嵌め込み部１３２は、凹部１３０と同じような輪郭を持ち、比重の大きい材質で製造されるのが望ましい。このような配置は、ヘッドの重心を後ろ（香る嵌め込み部の設置位置に対応する位置）に移して、ヘッドの重心をさらに深くかつ低く設定することができる。
【００１３】
図２に示すように、フェイス１１０は、ボールを打つための打つ面１１０ａおよび打つ面の裏面（図示せず）を有する。フェイス１１０の打つ面１１０ａには、水平に伸び、底部にほぼ平行な複数のスコアライン１１４が設けられる。
【００１４】
図３は本考案の他の実施形態による香るゴルフクラブヘッド２００を示す断面図である。この実施形態において、香る嵌め込み部２１０は、フェイス１１０と本体１２０との間に位置する凹部２２０に設けられ、フェイス１１０の裏面１１０ｂに接して、クッションとしても機能する。
【００１５】
図４は本考案の他の実施形態による香るゴルフクラブヘッド３００を示す斜視図である。この実施形態において、香る嵌め込み部２１０は、フェイス１１０の側面を囲むようにフェイス１１０と本体１２０との間に設けられる。これによってさらにクッションとしての機能が高められる。
【００１６】
図５は本考案の他の実施形態による香るゴルフクラブヘッド４００を示す斜視図である。この香るゴルフクラブヘッド４００はウッドヘッドであり、金属製のフェイス４１０と、本体４２０とからなる。フェイス４１０はボールを打つための打つ面を有する。香る嵌め込み部４３０は、プラークとして機能し、本体４２０に設けられる。このヘッド４００（香る嵌め込み部４３０以外の部分）は精密キャスト工程（例えば脱蝋工程）により簡単に製造することができる。
【００１７】
本考案に係る香る嵌め込み部は、周知のキャストやプレス工程によって製造されて、嵌め込み、熔接または接着によってゴルフクラブヘッド本体に接合することができる。これによってゴルフクラブヘッドから香りを発散させて、ゴルフクラブヘッドの付加価値を高める。
【００１８】
本考案に係る香る嵌め込み部は下記の工程によって生産される。
（ａ）香る嵌め込み部の形状に従う上型と下型からなる型を用意する。
（ｂ）香る嵌め込み部の原料を型に入れる。ここで、香る嵌め込み部が錘の機能とする場合は、原料はプラスチックまたはゴムの中から選択されるいずれか一つ及び金属粉末（例えばタングステンの粉）を用いて、その中に無毒芳香剤（例えば芳香油）を添加し、また、香る嵌め込み部がクッションの機能とする場合は、原料は少なくとも弾性素材やゴムを用いて、その中に無毒芳香剤を添加するのが好ましい。
（ｃ）型に圧力を掛けて、香る嵌め込み部を成形させる。
（ｄ）型を開いて、香る嵌め込み部を取り出す。
【００１９】
本考案に係る香るゴルフクラブヘッドは、本体に香る嵌め込み部を設けることによって、ゴルフクラブヘッドから香りを発散させて、女性ゴルファーに対してその付加価値を高める。
【００２０】
本考案では好適な実施形態を前述の通り開示したが、これは決して本考案を限定するものではなく、当該分野の技術を熟知しているものであれば、本考案の精神と領域を離脱しない範囲内で、多様の変動や修正を加えることができ、従って本考案の保護範囲は、実用新案登録請求の範囲で指定した内容を基準とする。
【図面の簡単な説明】
【００２１】
【図１】本考案の一実施形態による香るゴルフクラブヘッドを示す斜視図。
【図２】図１に示す香るゴルフクラブヘッドの正面図。
【図３】本考案の他の実施形態による香るゴルフクラブヘッドを示す断面図。
【図４】本考案の他の実施形態による香るゴルフクラブヘッドを示す斜視図。
【図５】本考案の他の実施形態による香るゴルフクラブヘッドを示す斜視図。
【符号の説明】
【００２２】
１００：ヘッド、１１０：フェイス、１１０a：打つ面、１１０b：裏面、１１４：スコアライン、１２０：本体、１２２：上部、１２３：底部、１２４：トウ、１２６：ヒール、１２７：シャフト、１２８：ネック、１３０：凹部、１３２：香る嵌め込み部、１４０：凹部、１４２：香る嵌め込み部、２００：ヘッド、２１０：香る嵌め込み部、２２０：凹部、３００：ヘッド、３１０：香る嵌め込み部、４００：ヘッド、４１０：フェイス、４２０：本体、４３０：香る嵌め込み部
【図１】
0003126471.tif 000003
【図２】
0003126471.tif 000004
【図３】
0003126471.tif 000005
【図４】
0003126471.tif 000006
【図５】
0003126471.tif 000007